【手続補正書】
【提出日】平成19年5月23日(2007.5.23)
【手続補正１】
【補正対象書類名】明細書
【補正対象項目名】特許請求の範囲
【補正方法】変更
【補正の内容】
【特許請求の範囲】
【請求項１】  全体的に１平面内に位置するダイヤフラム部分で形成された閉じた受け止め端、および監視すべき流体圧力源に変換器を取り付けるための細長い連結部分を含む全体的に管状のポート取り付け部であり、前記受け止め端が固定構成部および角度配向構成部を有して形成され、受け止め端と連結部分との中間にてポート取り付け部から半径方向外方へ支持フランジが延在された前記ポート取り付け部と、
受け止め端に受け止められる支持部材にして、受け止め端に対して支持部材の選ばれた角度配向を与えるために、角度配向構成部を形成された外側壁、および受け止め端の角度配向構成部と補完形の角度配向構成部を形成された受け止め座とを有する支持部材であって、ポート取り付け部の固定構成部と協働してポート取り付け部および支持部材を互いに固定するために固定構成部の形成された支持部材から内側脚が延在しており、ダイヤフラムが位置する平面と全体的に平行な平面内に位置すると共に、そこを通りダイヤフラム部分の中央部と整合される開口を形成されている平坦で比較的堅い表面を有する前記支持部材と、
互いに間隔を隔てて複数の導電ターミナルを取り付ける本体を有する電気的絶縁材で形成された連結部であって、各ターミナルは可撓性の回路組立体を受け止める本体部分の座を通って延在する端部を有し、複数の脚が本体部分から延在し、脚は角度配向構成部および固定構成部を有し、脚は支持部材に対して選ばれた連結部の角度配向で支持部材に固定的に受け止められる前記連結部と、
中間ストリップ部分で互いに連結された第１および第２の部分を有する可撓性の回路組立体であって、第１の部分は支持部材の平坦で比較的堅い表面に結合され、第１の部分は支持部材の平坦面の開口と整合される開口を有し、第２の部分は連結部における可撓性の回路組立体の座に受け止められ、ターミナルにはんだ付けされた導電トレースを有し、電子素子が第１の部分の導電トレースにはんだ付けされている前記可撓性の回路組立体と、
ダイヤフラム部分に配置され、センサー部材および第１の部分の導電トレースの間を延在してそれらに結合されたワイヤーを有する前記センサー部材と、を含んで成る圧力変換器。
【請求項２】  支持フランジがポート取り付け部に溶接された請求項１に記載された圧力変換器。
【請求項３】  ポート取り付け部の連結部分がスクリューねじで連接された請求項１に記載された圧力変換器。
【請求項４】  ポート取り付け部の連結部分が開口端を有する穴を形成され、流体通路内を長手方向に延在するプラグがその穴に受け入れられた請求項１に記載された圧力変換器。
【請求項５】  プラグが弾性材料で形成され、実質的に穴を充満している請求項４に記載された圧力変換器。
【請求項６】  連結部はＯ−リング座である溝を形成され、そのＯ−リング座である溝にＯ−リングが配置されており、また長手方向の軸線を有し、ほぼ円形の反対両端部を有する管状のハウジング部材を含み、一方の端部はＯ−リング座である溝に受け入れられたＯ−リングと整合された截頭円錐面を有し、他端部はポート取り付け部の支持フランジに固定的に取り付けられた半径方向に延在するフランジを有し、ハウジング部材を支持フランジに取り付けることで選ばれた荷重が截頭円錐面を経てＯ−リングに作用するように、ハウジング部材の反対両側の２つの端部の長手方向の間隔距離が選ばれる請求項１に記載された圧力変換器。
【請求項７】  ハウジング部材が金属製で、ハウジング部材の反対両端の中間の位置における長手方向軸線に直角な横断面が多角形である請求項６に記載された圧力変換器。
【請求項８】  自由先端および底壁とを備えた管状の側壁を有し、一般にカップ形状の金属製のシールドが可撓性の回路組立体の一部の上に配置された回路框体を形成する連結部に受け入れられ、自由先端は第１の部分と係合し、少なくとも１つのタブが側壁から外方へ延在して管状のハウジング部材に対して押圧される請求項６に記載された圧力変換器。
【請求項９】  可撓性の回路組立体がアース導電トレースを含み、シールドの管状の側壁の自由先端はアース導電トレースと整合され、係合状態となるように押圧される請求項８に記載された圧力変換器。
【請求項１０】  連結部は本体に形成された半径方向外方へ延在する棚を含み、本体はその棚の上にターミナル層を備えており、金属製の開口端を有する管状ハウジングは内方へ延在するタブを一端に有しており、ハウジングは連結部および支持部材の上に受け止められてタブが棚の上のターミナル層に対して押圧される請求項１に記載された圧力変換器。
【請求項１１】  ダイヤフラム部分で形成された閉じた受け止め端、および流体圧力源を有する本体にポート取り付け部を取り付けるための細長い連結部分を有する一般に管状の金属製のポート取り付け部であり、受け止め端は外方へ延在する固定フランジおよび非円形の外周縁を有して形成され、受け止め端と連結部分との中間にてポート取り付け部から半径方向外方へ支持フランジが延在された前記ポート取り付け部と、
受け止め端の外周縁と補完形の非円形の周縁を有して形成された受け止め座を有し、長手方向に延在する内側脚はポート取り付け部の固定フランジと固定的に係合する半径方向内方へ延在するキャッチの形成された自由先端を有している支持部材であって、ダイヤフラム部分の中央部分と整合される開口の形成された平坦面を備えた壁を有する前記支持部材と、
支持部材の平坦面に連結され、支持部材の平坦面の穴と整合される穴を有して形成されている第１の部分を有する可撓性の回路組立体であって、可撓性の回路基板は支持部材から離れる方向へ延在するターミナル取り付け部分、ポート取り付け部の受け止め端のダイヤフラム部分に取り付けられた抵抗線歪みゲージのセンサー部材、および抵抗線歪みゲージのセンサー部材に結合され、可撓性回路組立体へ向かって延在されて結合されたワイヤー・リードを有している前記可撓性の回路組立体と、
互いに間隔を隔てて複数の導電ターミナルを取り付ける本体を有する電気的絶縁材で形成された連結部であって、可撓性の回路組立体のターミナル取り付け部分は一般にＵ形状に曲げ戻されてターミナル部材に対して取り付けられる前記連結部とを含んで成る圧力変換器。
【請求項１２】  支持フランジがポート取り付け部に溶接された請求項１１に記載された圧力変換器。
【請求項１３】  Ｏ−リング座である溝が連結部の本体の外周面に形成されており、またそのＯ−リング座である溝に受け入れられたＯ−リング、およびＯ−リングと整合された角度を付された面を有する外側ハウジング部材を含み、外側ハウジング部材はポート取り付け部の支持フランジに固定的に取り付けられて、角度を付された面がＯ−リングに圧縮力を作用させる請求項１１に記載された圧力変換器。
【請求項１４】  抵抗線歪みゲージ式の変換器を製造する方法であって、
貫通形成された穴を備えた平坦面を有する支持部材を準備する段階と、
貫通する開口を形成された第１の部分、および第１の部分から延在する第２のターミナル取り付け部分を準備する段階と、
開口を穴に整合させて可撓性の回路組立体の第１の部分を支持部材の平坦面に結合する段階と、
平坦面が上方へ向くように支持部上に支持部材を配置する段階と、
電気的絶縁材で作られた連結部を配置する段階であって、複数の電気ターミナルが本体および支持部材に隣接されて間隔を隔てて取り付けられ、連結部は支持部材に取り付けられるときはその配向を反転され、連結部部材は各ターミナル突起の先端が通過する表面を有しており、連結部部材は支持部材の平坦面および各ターミナル突起の先端が通過する連結部の表面が実質的に共通した平面内に位置するように配置される段階と、
ターミナルを可撓性の回路組立体のターミナル取り付け部にはんだ付けし、また電子部材を可撓性の回路組立体にはんだ付けする段階と、
平坦面を備えたダイヤフラムを有する本体を準備する段階と、
平坦面に抵抗線歪みゲージのセンサー部材を取り付ける段階と、本体を準備し、抵抗線歪みゲージのセンサー部材を備えたダイヤフラムが支持部材の穴と整合するように本体を支持部材に取り付ける段階と、
抵抗線歪みゲージのセンサー部材および可撓性の回路組立体の第１の部分にワイヤーを結合する段階と、
連結部部材を反転し、反転した連結部部材を支持部材に取り付ける段階とを含んで成る製造方法。